(57)【要約】【課題】複数の発光素子が配置された基板を支持部材の基板当接面に簡易な構成で押し付ける。【解決手段】ＬＥＤヘッド１５Ｂｋは、長手方向に沿って下面３１ａ上に複数の発光素子が配置された基板３１と、基板当接面Ｓ１上に基板３１を支持するレンズアレイホルダ３４と、基板３１を基板当接面Ｓ１に押し付けるための弾性変形可能な板状のベース３５とを備える。ベース３５は、基板３１の長手方向両端部に対応する位置に基板３１側に凸となるように屈曲または湾曲した一対の屈曲部４，５を有し、レンズアレイホルダ３４と係合することにより基板３１の上面３１ｂと直交する方向に弾性変形し、その弾性復元力により屈曲部４，５で基板３１の長手方向両端部を押圧する状態で設置されるように構成される。【選択図】図２
2013022837.tif 000002
【特許請求の範囲】
【請求項１】
第１の面とその反対側の第２の面とを有する基板であって、その長手方向に沿って前記第１の面上に複数の発光素子が配置された基板と、
前記基板の第１の面と当接する基板当接面を有し、前記基板当接面上に前記基板を支持する支持部材と、
前記基板の第２の面上に前記基板の長手方向に沿って設置され、前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材と、
を備え、
前記押圧部材は、前記支持部材と係合することにより前記基板の第２の面と直交する方向に弾性変形し、その弾性復元力により前記一対の屈曲部で前記基板の長手方向両端部を押圧する状態で設置されるように構成される、
ことを特徴とする露光装置。
【請求項２】
前記支持部材は、前記押圧部材の前記基板側とは反対側を向く面と当接する押さえ部を有し、
前記押圧部材は、前記支持部材の押さえ部と当接し、前記押さえ部により前記基板と当接する方向に押さえられることにより、前記弾性変形した状態で設置される、
ことを特徴とする請求項１に記載の露光装置。
【請求項３】
前記支持部材は、前記押さえ部として、前記押圧部材の長手方向両端部と当接する一対の押さえ部を有し、
前記押圧部材は、
前記基板の長手方向に延びる平板状の中央部と、
前記中央部の長手方向両側に位置し、前記中央部との間で前記一対の屈曲部を形成するように設けられた平板状の一対の側部と、
を有し、
前記一対の押さえ部に押さえられ、前記一対の屈曲部を支点として前記一対の側部が前記基板に近づくように弾性変形し、前記一対の屈曲部で前記基板の長手方向両端部を押圧する状態で設置される、
ことを特徴とする請求項２に記載の露光装置。
【請求項４】
前記押圧部材は、前記基板の長手方向中央部を弾性復元力により押圧する押圧部をさらに有することを特徴とする請求項１または２に記載の露光装置。
【請求項５】
前記支持部材は、前記押さえ部として、前記押圧部材の長手方向両端部と当接する一対の押さえ部を有し、
前記押圧部材は、
前記基板の長手方向に延びる平板状の中央部と、
前記中央部の長手方向両側に位置し、前記中央部との間で前記一対の屈曲部を形成するように設けられた平板状の一対の側部と、
前記中央部から前記基板側に突出するように設けられた平板状の板ばね部と、
を有し、
前記一対の押さえ部に押さえられ、前記一対の屈曲部および前記板ばね部の先端部を支点として、前記一対の側部が前記基板に近づき前記板ばね部が前記中央部に近づくように弾性変形し、前記一対の屈曲部で前記基板の長手方向両端部を押圧し、前記押圧部としての前記板ばね部の先端部で前記基板の長手方向中央部を押圧する状態で設置される、
ことを特徴とする請求項４に記載の露光装置。
【請求項６】
前記支持部材は、前記基板当接面と平行な方向について前記基板を位置決めするための位置決め部を有することを特徴とする請求項１から５のいずれか１項に記載の露光装置。
【請求項７】
前記複数の発光素子と対向するように前記支持部材に支持され、前記複数の発光素子からの光を収束させるレンズをさらに備えることを特徴とする請求項１から６のいずれか１項に記載の露光装置。
【請求項８】
静電潜像担持体と、
前記静電潜像担持体に光を照射して静電潜像を形成する露光装置と、
を有し、
前記露光装置は、
第１の面とその反対側の第２の面とを有する基板であって、その長手方向に沿って前記第１の面上に複数の発光素子が配置された基板と、
前記基板の第１の面と当接する基板当接面を有し、前記基板当接面上に前記基板を支持する支持部材と、
前記基板の第２の面上に前記基板の長手方向に沿って設置され、前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材と、
を備え、
前記押圧部材は、前記支持部材と係合することにより前記基板の第２の面と直交する方向に弾性変形し、その弾性復元力により前記一対の屈曲部で前記基板の長手方向両端部を押圧する状態で設置されるように構成される、
ことを特徴とする画像形成装置。
【請求項９】
第１の面とその反対側の第２の面とを有する基板であって、その長手方向に沿って前記第１の面上に複数の発光素子が配置された基板と、前記基板の第１の面と当接する基板当接面を有し、前記基板当接面上に前記基板を支持する支持部材とを備える組立体を用意する工程と、
前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材を、前記基板の第２の面上に前記基板の長手方向に沿って設置する工程と、
を含み、
前記設置する工程では、前記押圧部材の長手方向の一端部の前記基板側とは反対側を向く面を前記支持部材の一方側に設けられた押さえ部に当接させた後、前記一対の屈曲部を前記基板の第２の面に押し付け、前記押圧部材を前記基板の第２の面と直交する方向に弾性変形させながら、前記押圧部材の長手方向の他端部の前記基板側とは反対側を向く面を前記支持部材の他方側に設けられた押さえ部に当接させる、
ことを特徴とする露光装置の製造方法。
【請求項１０】
前記押圧部材は、前記基板の長手方向中央部を弾性復元力により押圧する押圧部をさらに有し、
前記設置する工程では、前記押圧部材の長手方向の一端部の前記基板側とは反対側を向く面を前記支持部材の一方側に設けられた押さえ部に当接させた後、前記一対の屈曲部および前記押圧部を前記基板の第２の面に押し付け、前記押圧部材を前記基板の第２の面と直交する方向に弾性変形させながら、前記押圧部材の長手方向の他端部の前記基板側とは反対側を向く面を前記支持部材の他方側に設けられた押さえ部に当接させる、
ことを特徴とする請求項９に記載の露光装置の製造方法。
【発明の詳細な説明】
【技術分野】
【０００１】
本発明は、露光装置、画像形成装置、および露光装置の製造方法に関する。
【背景技術】
【０００２】
電子写真方式の画像形成装置（例えば、プリンタ、複写機、ファクシミリ装置、複合機等）では、帯電された感光体に光を照射して静電潜像を形成する露光装置（例えばＬＥＤヘッド）が用いられる。
【０００３】
露光装置は、例えば、ＬＥＤアレイが搭載された基板と、ＬＥＤアレイに対向するように配置されるロッドレンズアレイと、基板およびロッドレンズアレイを支持するレンズアレイホルダとを有する（例えば、特許文献１を参照）。この露光装置では、ＬＥＤアレイから出射された光は、ロッドレンズアレイを通過して収束させられ、ロッドレンズアレイの結像位置に配置された感光体の表面に照射され、静電潜像が形成される。
【０００４】
特許文献１には、基板をレンズアレイホルダに組み付ける技術として、レンズアレイホルダに形成された基板当接面上に基板を載置し、基板を基板当接面に押し付けるためのベース（押圧部材）を基板上に組み付けるものが開示されている。特許文献１に記載の技術では、ベースには、その幅方向の両縁に、長さ方向における複数個所に、幅方向外方に突出する突起部が設けられる。また、ベースの各突起部の幅方向内方にはスリットが形成され、ベースの各突起部の両側には細いブリッジ部が形成される。ベースの幅方向の両縁の突起間の距離は、レンズアレイホルダの内壁間の距離より大きい。一方、レンズアレイホルダの内壁には、ベースの各突起部と対応する位置に、突起部と対応する形状の溝が形成される。ベースの組み付けの際には、ベースは、レンズアレイホルダ内に基板に向けて下方に挿入される。このとき、ベースの突起部は、レンズアレイホルダの内壁に押し当てられ、ブリッジ部の撓みにより内側に変位させられる。ベースが基板に当接した後、突起部はさらに下方に押し下げられる。これにより、ブリッジ部は下方に撓み、続いて、突起部がブリッジ部の付勢力によって溝内に侵入し、ブリッジ部が下方に撓んだ状態で突起部が溝に係止される。ブリッジ部が元の形状に戻ろうとすることにより、ベースは基板を基板当接面に押し付ける押圧力を発生させる。
【先行技術文献】
【特許文献】
【０００５】
【特許文献１】特開２００９−２９８１５５号公報
【発明の概要】
【発明が解決しようとする課題】
【０００６】
上記従来の技術では、複数の発光素子が配置された基板を支持部材の基板当接面に押し付けるための構成が複雑である。
【０００７】
本発明は、複数の発光素子が配置された基板を支持部材の基板当接面に簡易な構成で押し付けることができる露光装置、画像形成装置、および露光装置の製造方法を提供することを目的とする。
【課題を解決するための手段】
【０００８】
本発明に係る露光装置は、第１の面とその反対側の第２の面とを有する基板であって、その長手方向に沿って前記第１の面上に複数の発光素子が配置された基板と、前記基板の第１の面と当接する基板当接面を有し、前記基板当接面上に前記基板を支持する支持部材と、前記基板の第２の面上に前記基板の長手方向に沿って設置され、前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材とを備え、前記押圧部材は、前記支持部材と係合することにより前記基板の第２の面と直交する方向に弾性変形し、その弾性復元力により前記一対の屈曲部で前記基板の長手方向両端部を押圧する状態で設置されるように構成されることを特徴とする。
【０００９】
本発明に係る画像形成装置は、静電潜像担持体と、前記静電潜像担持体に光を照射して静電潜像を形成する露光装置とを有し、前記露光装置は、第１の面とその反対側の第２の面とを有する基板であって、その長手方向に沿って前記第１の面上に複数の発光素子が配置された基板と、前記基板の第１の面と当接する基板当接面を有し、前記基板当接面上に前記基板を支持する支持部材と、前記基板の第２の面上に前記基板の長手方向に沿って設置され、前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材とを備え、前記押圧部材は、前記支持部材と係合することにより前記基板の第２の面と直交する方向に弾性変形し、その弾性復元力により前記一対の屈曲部で前記基板の長手方向両端部を押圧する状態で設置されるように構成されることを特徴とする。
【００１０】
本発明に係る露光装置の製造方法は、第１の面とその反対側の第２の面とを有する基板であって、その長手方向に沿って前記第１の面上に複数の発光素子が配置された基板と、前記基板の第１の面と当接する基板当接面を有し、前記基板当接面上に前記基板を支持する支持部材とを備える組立体を用意する工程と、前記基板を前記基板当接面に押し付けるための弾性変形可能な板状の押圧部材であって、前記基板の長手方向両端部に対応する位置に前記基板側に凸となるように屈曲または湾曲した一対の屈曲部を有する押圧部材を、前記基板の第２の面上に前記基板の長手方向に沿って設置する工程とを含み、前記設置する工程では、前記押圧部材の長手方向の一端部の前記基板側とは反対側を向く面を前記支持部材の一方側に設けられた押さえ部に当接させた後、前記一対の屈曲部を前記基板の第２の面に押し付け、前記押圧部材を前記基板の第２の面と直交する方向に弾性変形させながら、前記押圧部材の長手方向の他端部の前記基板側とは反対側を向く面を前記支持部材の他方側に設けられた押さえ部に当接させることを特徴とする。
【発明の効果】
【００１１】
本発明によれば、複数の発光素子が配置された基板を支持部材の基板当接面に簡易な構成で押し付けることができる。
【図面の簡単な説明】
【００１２】
【図１】実施の形態１における露光装置を有する画像形成装置の構成を示す概略図である。
【図２】実施の形態１におけるＬＥＤヘッドおよび感光体ドラムを示す横断面図である。
【図３】実施の形態１におけるＬＥＤヘッドおよび感光体ドラムを示す縦断面図である。
【図４】実施の形態１におけるベース、基板、およびレンズアレイホルダの構成を示す図である。
【図５】実施の形態１におけるＬＥＤヘッドの製造手順を説明するための図である。
【図６】実施の形態２におけるＬＥＤヘッドおよび感光体ドラムを示す横断面図である。
【図７】実施の形態２におけるベースの構成を示す図である。
【図８】実施の形態２におけるＬＥＤヘッドの製造手順を説明するための図である。
【発明を実施するための形態】
【００１３】
以下、本発明の実施の形態を図面に従って説明する。
実施の形態１．
［画像形成装置の構成］
図１は、本実施の形態における露光装置（露光ユニット）を有する画像形成装置１１の構成を示す概略図である。この画像形成装置１１は、露光装置を用いて画像を形成する装置である。具体的には、画像形成装置１１は、電子写真方式の印刷装置であり、露光装置により静電潜像担持体に光を照射して静電潜像を形成し、当該静電潜像を現像剤で現像することにより、記録媒体上に画像を形成する。
【００１４】
図１の例では、画像形成装置１１は、電子写真カラープリンタであり、ブラック、イエロー、マゼンタ、シアンの各色の画像を形成する画像形成部である画像形成ユニット１２Ｂｋ，１２Ｙ，１２Ｍ，１２Ｃを有する。画像形成ユニット１２Ｂｋ，１２Ｙ，１２Ｍ，１２Ｃは、記録媒体としての用紙の搬送経路に沿って配置される。なお、記録媒体としては、用紙の他に、ＯＨＰシート、封筒、複写紙、特殊紙等を使用することができる。
【００１５】
画像形成ユニット１２Ｂｋ，１２Ｙ，１２Ｍ，１２Ｃは、それぞれ、静電潜像担持体としての感光体ドラム１３Ｂｋ，１３Ｙ，１３Ｍ，１３Ｃと、感光体ドラム１３Ｂｋ，１３Ｙ，１３Ｍ，１３Ｃの表面を一様に帯電させる帯電装置としての帯電ローラ１４Ｂｋ，１４Ｙ，１４Ｍ，１４Ｃと、感光体ドラム１３Ｂｋ，１３Ｙ，１３Ｍ，１３Ｃの表面に形成された静電潜像に現像剤としての不図示のトナーを付着させて可視像である各色のトナー像を形成する現像剤担持体としての現像ローラ１６Ｂｋ，１６Ｙ，１６Ｍ，１６Ｃとを備えている。また、画像形成ユニット１２Ｂｋ，１２Ｙ，１２Ｍ，１２Ｃは、それぞれ、現像剤供給部材としてのトナー供給ローラ１８Ｂｋ，１８Ｙ，１８Ｍ，１８Ｃと、現像ブレード１９Ｂｋ，１９Ｙ，１９Ｍ，１９Ｃと、トナーを収容するトナーカートリッジ２０Ｂｋ，２０Ｙ，２０Ｍ，２０Ｃとを備えている。トナー供給ローラ１８Ｂｋ，１８Ｙ，１８Ｍ，１８Ｃは、それぞれ、現像ローラ１６Ｂｋ，１６Ｙ，１６Ｍ，１６Ｃに圧接するように配置され、トナーカートリッジ２０Ｂｋ，２０Ｙ，２０Ｍ，２０Ｃから供給されたトナーを現像ローラ１６Ｂｋ，１６Ｙ，１６Ｍ，１６Ｃに供給する。現像ブレード１９Ｂｋ，１９Ｙ，１９Ｍ，１９Ｃは、それぞれ、現像ローラ１６Ｂｋ，１６Ｙ，１６Ｍ，１６Ｃに圧接するように配置され、現像ローラ１６Ｂｋ，１６Ｙ，１６Ｍ，１６Ｃ上において、トナー供給ローラ１８Ｂｋ，１８Ｙ，１８Ｍ，１８Ｃから供給されたトナーを薄層化する。
【００１６】
画像形成ユニット１２Ｂｋ，１２Ｙ，１２Ｍ，１２Ｃにおける感光体ドラム１３Ｂｋ，１３Ｙ，１３Ｍ，１３Ｃより上方には、露光装置としてのＬＥＤヘッド１５Ｂｋ，１５Ｙ，１５Ｍ，１５Ｃが、感光体ドラム１３Ｂｋ，１３Ｙ，１３Ｍ，１３Ｃと対向する位置に配置されている。ＬＥＤヘッド１５Ｂｋ，１５Ｙ，１５Ｍ，１５Ｃは、それぞれ、各色の画像データに従って、感光体ドラム１３Ｂｋ，１３Ｙ，１３Ｍ，１３Ｃを露光し、静電潜像を形成する装置である。
【００１７】
画像形成ユニット１２Ｂｋ，１２Ｙ，１２Ｍ，１２Ｃにおける感光体ドラム１３Ｂｋ，１３Ｙ，１３Ｍ，１３Ｃより下方には、転写ユニットが配置されている。転写ユニットは、転写装置としての転写ローラ１７Ｂｋ，１７Ｙ，１７Ｍ，１７Ｃと、図１中の矢印ｅ方向に走行自在に配置された、用紙を搬送する搬送部材としての搬送ベルト２１とを備えている。転写ローラ１７Ｂｋ，１７Ｙ，１７Ｍ，１７Ｃは、それぞれ、搬送ベルト２１を介して感光体ドラム１３Ｂｋ，１３Ｙ，１３Ｍ，１３Ｃと対向して配置され、用紙をトナーと逆の極性に帯電させ、各色のトナー像を用紙に転写する。
【００１８】
画像形成装置１１の下部には、搬送ベルト２１に用紙を供給するための給紙機構が配置されている。給紙機構は、ホッピングローラ２２、レジストローラ２３、媒体収容部としての用紙収容カセット２４、および用紙収容カセット２４内の用紙の色を測色する用紙色測色部２５を備えている。さらに、搬送ベルト２１の排出側には、定着装置２８が設けられている。定着装置２８は、加熱ローラおよびバックアップローラを有し、用紙上に転写されたトナーを加圧および加熱することによって定着させる装置である。定着装置２８の排出側には、図示しない排出ローラおよびピンチローラと、用紙スタッカ２９とが設けられている。
【００１９】
［画像形成装置の動作］
次に、画像形成装置１１の動作について説明する。
用紙収容カセット２４内の用紙は、ホッピングローラ２２によって繰り出され、レジストローラ２３へ送られる。続いて、用紙は、レジストローラ２３から搬送ベルト２１に送られ、この搬送ベルト２１の走行に伴って、画像形成ユニット１２Ｂｋ，１２Ｙ，１２Ｍ，１２Ｃへと順に搬送される。
【００２０】
画像形成ユニット１２Ｂｋ，１２Ｙ，１２Ｍ，１２Ｃでは、感光体ドラム１３Ｂｋ，１３Ｙ，１３Ｍ，１３Ｃの表面は、帯電ローラ１４Ｂｋ，１４Ｙ，１４Ｍ，１４Ｃによって帯電され、ＬＥＤヘッド１５Ｂｋ，１５Ｙ，１５Ｍ，１５Ｃによって露光され、静電潜像が形成される。感光体ドラム１３Ｂｋ，１３Ｙ，１３Ｍ，１３Ｃ上に形成された静電潜像には、現像ローラ１６Ｂｋ，１６Ｙ，１６Ｍ，１６Ｃ上の薄層化されたトナーが静電的に付着し、各色のトナー像が形成される。感光体ドラム１３Ｂｋ，１３Ｙ，１３Ｍ，１３Ｃ上に形成された各色のトナー像は、転写ローラ１７Ｂｋ，１７Ｙ，１７Ｍ，１７Ｃによって用紙に転写され、用紙上にカラーのトナー像が形成される。転写後に感光体ドラム１３Ｂｋ，１３Ｙ，１３Ｍ，１３Ｃ上に残留したトナーは、図示しないクリーニング装置によって除去される。
【００２１】
カラーのトナー像が形成された用紙は、定着装置２８に送られる。この定着装置２８において、カラーのトナー像が用紙に定着され、カラー画像が形成される。トナー像が定着された用紙は、図示しない排出ローラおよびピンチロ一ラに挟持されながら搬送され、用紙スタッカ２９に排出される。
【００２２】
［露光装置（ＬＥＤヘッド）の構成］
次に、感光体ドラム１３Ｂｋ，１３Ｙ，１３Ｍ，１３ＣとＬＥＤヘッド１５Ｂｋ，１５Ｙ，１５Ｍ，１５Ｃとの関係とともに、ＬＥＤヘッド１５Ｂｋ，１５Ｙ，１５Ｍ，１５Ｃの構成について説明する。なお、画像形成ユニット１２Ｂｋ，１２Ｙ，１２Ｍ，１２Ｃにおける、感光体ドラム１３Ｂｋ，１３Ｙ，１３Ｍ，１３ＣとＬＥＤヘッド１５Ｂｋ，１５Ｙ，１５Ｍ，１５Ｃとのそれぞれの関係は互いに同じであり、ＬＥＤヘッド１５Ｂｋ，１５Ｙ，１５Ｍ，１５Ｃの構成は互いに同じであるので、ここでは、感光体ドラム１３ＢｋとＬＥＤヘッド１５Ｂｋとの関係とともに、ＬＥＤヘッド１５Ｂｋの構成についてだけ説明する。
【００２３】
図２および図３は、それぞれ、実施の形態１におけるＬＥＤヘッド１５Ｂｋおよび感光体ドラム１３Ｂｋを示す横断面図および縦断面図である。図２および図３に示されるように、ＬＥＤヘッド１５Ｂｋは、感光体ドラム１３Ｂｋと対向するように配置される。ＬＥＤヘッド１５Ｂｋは、基板３１、ロッドレンズアレイ３３、レンズアレイホルダ３４、およびベース３５を有する。
【００２４】
基板３１は、下面（第１の面）３１ａとその反対側の上面（第２の面）３１ｂとを有し、長手方向（図２の左右方向、図３の紙面と直交する方向）に延びる長尺形状を有する。基板３１の下面３１ａには、基板３１の長手方向に沿って配列された複数の発光素子を有する発光素子アレイが搭載される。本例では、基板３１の下面３１ａには、複数のＬＥＤが直線状に配列されたＬＥＤアレイを含むＬＥＤアレイチップ３２が、感光体ドラム１３Ｂｋと対向するように配置される。ＬＥＤアレイチップ３２は、例えば複数のチップを１列に並べることにより構成される。基板３１には、ＬＥＤアレイチップ３２とともに、当該ＬＥＤアレイチップ３２を制御するための図示しないドライバＩＣが搭載される。なお、以下の説明においては、基板３１の発光素子が配置された面（下面３１ａ）が向く方向を「下」、その反対方向を「上」と称する。
【００２５】
ロッドレンズアレイ３３は、基板３１上の複数の発光素子からの光を収束させるレンズであり、当該複数の発光素子と対向するように配置される。具体的には、ロッドレンズアレイ３３は、ＬＥＤアレイチップ３２と感光体ドラム１３Ｂｋとの間に配置され、収束性を有し、各ＬＥＤから出射された光を収束させる収束レンズである。
【００２６】
レンズアレイホルダ３４は、基板３１およびロッドレンズアレイ３３を支持する支持部材である。具体的には、レンズアレイホルダ３４は、基板３１の下面３１ａと当接する基板当接面Ｓ１を有し、当該基板当接面Ｓ１上に基板３１を支持するとともに、基板当接面Ｓ１の下方にロッドレンズアレイ３３を支持する。基板当接面Ｓ１は、例えば、下面３１ａのＬＥＤアレイチップ３２の周囲部分と当接するように設けられる。
【００２７】
レンズアレイホルダ３４は、例えば、アルミニウム材料を型に流し込んで製造されたダイカスト品、ガラス繊維で強化したポリアミドから成る汎用エンジニアリングプラスチックによる成型品、または板金と上記汎用エンジニアリングプラスチックとの複合成型品である。
【００２８】
具体的には、レンズアレイホルダ３４は、基板３１の下面３１ａに垂直な方向（上下方向）に貫通する中空の部材であり、下方から上方に貫通する内部空間を有する。レンズアレイホルダ３４は、内部空間側に突出するように設けられた突出部３４ａを有し、当該突出部３４ａの基板３１側（上側）に基板当接面Ｓ１が形成されている。この基板当接面Ｓ１上には基板３１が設置され、基板当接面Ｓ１に対し基板３１側とは反対側（下側）にはロッドレンズアレイ３３が設置される。すなわち、図３に示されるように、レンズアレイホルダ３４の内部空間は、ロッドレンズアレイ３３を収容する第１の領域Ｒ１と、当該第１の領域Ｒ１の上方に当該第１の領域Ｒ１と連通するように形成された第２の領域Ｒ２と、当該第２の領域Ｒ２の上方に当該第２の領域Ｒ２と連通するように形成された領域Ｒ３とを有する。第２の領域Ｒ２と第３の領域Ｒ３とは、基板当接面Ｓ１を含む平面により仕切られ、第３の領域Ｒ３の幅は第２の領域Ｒ２の幅より広くなっている。第２の領域Ｒ２の内周部には、段差（突出部３４ａ）が形成され、当該段差の上面に基板当接面Ｓ１が形成される。図３において、段差は、レンズアレイホルダ３４の短手方向（長手方向および上下方向と直交する方向であり、幅方向ともいう）の両側に設けられている。また、図２において、段差は、レンズアレイホルダ３４の長手方向の両側に設けられている。ロッドレンズアレイ３３は、第１の領域Ｒ１内に配置されて、レンズアレイホルダ３４に固着された後、光および異物の侵入を防止するために、ロッドレンズアレイ３３とレンズアレイホルダ３４との間隙がシリコン剤４１により封止される。
【００２９】
ベース３５は、基板３１を基板当接面Ｓ１に押し付けるための押圧部材（付勢部材）である。ベース３５は、弾性変形可能な板状の部材であり、基板３１の上面３１ｂ上に基板３１の長手方向に沿って設置される。具体的には、ベース３５は、長尺形状を有する薄板状の弾性部材である。
【００３０】
ベース３５は、弾性および可撓性を有する材料、例えば、熱可塑性を有する樹脂によって形成される。当該樹脂として、本例では、ガラス繊維で強化したポリアミドから成る汎用エンジニアリングプラスチックが使用される。これにより、ベース３５の耐熱性や荷重撓み温度特性等を高くすることができ、長期間安定した弾性力を維持することができる。
【００３１】
ところで、感光体ドラム１３Ｂｋの表面に正確に光を結像させるためには、ＬＥＤアレイチップ３２の表面からロッドレンズアレイ３３の入射端面（光が入射する端面）までの距離（ＬＥＤアレイチップ３２とロッドレンズアレイ３３との間隔）Ｌ１１と、ロッドレンズアレイ３３の出射端面（光が出射される端面）から感光体ドラム１３Ｂｋの表面までの距離（ロッドレンズアレイ３３と感光体ドラム１３Ｂｋとの間隔）Ｌ１２とが同じになるように、すなわちＬ１１＝Ｌ１２となるように、距離Ｌ１２を調整する必要がある。
【００３２】
そこで、図２に示されるように、レンズアレイホルダ３４の長手方向両端部に、調整機構としての偏心カム機構４２，４３が配置されている。偏心カム機構４２，４３は、それぞれ、感光体ドラム１３Ｂｋの軸方向両端部の表面上に配置されたスペーサ３８ａ，３８ｂと当接している。ベース３５の長手方向両端部には、付勢部材としてのコイルばね３７ａ，３７ｂが配置される。コイルばね３７ａ，３７ｂは、ＬＥＤヘッド１５Ｂｋを感光体ドラム１３Ｂｋの方向に押し付け、スペーサ３８ａ，３８ｂの当接面に偏心カム機構４２，４３を当接させ、距離Ｌ１２を一定に保つ。偏心カム機構４２，４３の調整により（具体的にはカム本体を回転させることにより）、スペーサ３８ａ，３８ｂに対するレンズアレイホルダ３４の位置が調節される。
【００３３】
図４は、ベース３５、基板３１、およびレンズアレイホルダ３４の構成を示す図である。図４（ａ）および図４（ｂ）は、それぞれベース３５の正面図および上面図である。図４（ｃ）は、基板３１の上面図である。図４（ｄ）および図４（ｅ）は、それぞれレンズアレイホルダ３４の上面図および断面図である。図４（ｅ）は、レンズアレイホルダ３４を上下方向および長手方向に平行な平面で切断したときの断面図を示す。以下、図４を参照しながら、ＬＥＤヘッド１５Ｂｋの構成をより詳しく説明する。
【００３４】
ベース３５は、基板３１の長手方向両端部に対応する位置に、基板３１側に凸となるように屈曲または湾曲した一対の屈曲部４，５を有する。そして、ベース３５は、例えば図２に示されるように、レンズアレイホルダ３４と係合することにより（またはレンズアレイホルダ３４に留められることにより）、基板３１の上面３１ｂと直交する方向（上下方向）に弾性変形し、その弾性復元力により一対の屈曲部４，５で基板３１の長手方向両端部を押圧する状態で設置される。具体的には、レンズアレイホルダ３４は、ベース３５の基板３１側とは反対側を向く面（上側を向く面）と当接する少なくとも１つの押さえ部を有し、ベース３５は、レンズアレイホルダ３４の少なくとも１つの押さえ部と当接することにより、基板３１と当接する方向（下方向）に押さえられ、上記弾性変形した状態で設置される。
【００３５】
本例では、レンズアレイホルダ３４は、その長手方向両端部に、ベース３５の長手方向両端部と係合する一対の係合部５０a，５０ｂを備えている。係合部５０ａ，５０ｂは、具体的には、ベース３５の長手方向両端部の上側を向く面と当接する押さえ部である。ベース３５は、基板３１の長手方向に延びる平板状の中央部２と、当該中央部２の長手方向両側に位置する平板状の一対の側部１ａ，１ｂとを有する。側部１ａ，１ｂは、それぞれ中央部２との間で屈曲部４，５を形成している。すなわち、側部１ａ，１ｂと中央部２との２つの境界部は、基板３１の長手方向両端部に対応する位置にあり、それぞれ屈曲部４，５となっている。具体的には、側部１ａ，１ｂは、それぞれ中央部２に対し基板３１側とは反対側に角度θ１だけ屈曲している。ベース３５は、図２に示されるように、その長手方向両端部４９ａ，４９ｂがそれぞれレンズアレイホルダ３４の係合部５０ａ，５０ｂと係合し（具体的には当接して押さえられ）、屈曲部４，５を支点として側部１ａ，１ｂが基板３１に近づくように弾性変形し、その弾性復元力により屈曲部４，５で基板３１の長手方向両端部を押圧する状態で設置される。
【００３６】
レンズアレイホルダ３４は、その短手方向（長手方向および上下方向と直交する方向であり、幅方向ともいう）の両側に設けられ、ベース３５を収容する空間（第３の領域Ｒ３）を画定する一対の側壁５１ａ，５１ｂを備えている。そして、ベース３５の短手方向（長手方向および上下方向と直交する方向であり、幅方向ともいう）の幅Ｌ３は、側壁５１ａ，５１ｂの間の内幅（レンズアレイホルダ３４の短手方向の内壁幅）Ｌ１より小さい寸法を持ち、Ｌ３＜Ｌ１となっている。
【００３７】
また、レンズアレイホルダ３４は、基板当接面Ｓ１の上方に、長手方向の両側に内部空間側に突出するように設けられた一対の突出部５２ａ，５２ｂを有する。突出部５２ａ，５２ｂの基板３１側（下側）には、係合部５０ａ，５０ｂとして下向きの平面部が形成されている。突出部５２ａ，５２ｂの内部空間側の面は、上下方向に延びる内壁面を構成している。ベース３５の弾性変形前（設置前）の長手方向の長さＬ４は、突出部５２ａ，５２ｂの間の内幅（レンズアレイホルダ３４の長手方向の内壁幅）Ｌ５より大きい寸法を持ち、Ｌ４＞Ｌ５となっている。ベース３５は、基板３１の上面３１ｂに対向する方向から、上下方向および長手方向に弾性変形させながら、２つの突出部５２ａ，５２ｂの間に挿入することにより、基板３１上に設置することができるように構成されている。
【００３８】
レンズアレイホルダ３４は、基板当接面Ｓ１と平行な方向について基板３１を位置決めするための位置決め部を有する。具体的には、基板３１の長手方向両端部には、位置決め孔４７および４８が設けられ、レンズアレイホルダ３４は、位置決め部として、それぞれ位置決め孔４７および４８と係合する位置決めピン４６ａおよび４６ｂを有する。基板３１をレンズアレイホルダ３４に組み付ける際、位置決めピン４６ａおよび４６ｂがそれぞれ位置決め孔４７および４８に挿入されることで、レンズアレイホルダ３４内での基板３１の位置が固定される。なお、位置決め孔４８は、基板３１の長手方向に長い長孔となっている。
【００３９】
上述のコイルばね３７ａ，３７ｂは、それぞれベース３５の屈曲部４，５の近傍部分（具体的には長手方向内側の近傍部分）を押圧するように配置される。
【００４０】
［露光装置（ＬＥＤヘッド）の製造方法］
図５は、実施の形態１におけるＬＥＤヘッド１５Ｂｋの製造手順を説明するための図である。以下、図５を参照して、ＬＥＤヘッド１５Ｂｋの製造手順、特にベース３５の組み付け手順について説明する。図５の矢線Ｘ１およびＸ２は、ベース３５の動きを表す。
【００４１】
ＬＥＤヘッド１５Ｂｋの組み立てにおいては、まず、基板３１とレンズアレイホルダ３４とを備える組立体（すなわち基板３１が取り付けられたレンズアレイホルダ３４）を用意する。例えば、基板３１を、ロッドレンズアレイ３３が取り付けられたレンズアレイホルダ３４内に挿入し、基板当接面Ｓ１上に設置する。
【００４２】
次に、上記組立体の基板３１の上面３１ｂ上にベース３５を設置する。具体的には、ベース３５の長手方向の一端部（被係合部）４９ａをレンズアレイホルダ３４の係合部５０ａに係合させた後、ベース３５の屈曲部４，５を基板３１の上面３１ｂに押し付け、ベース３５を基板３１の上面３１ｂと直交する方向（上下方向）に弾性変形させながら、ベース３５の長手方向の他端部（被係合部）４９ｂをレンズアレイホルダ３４の係合部５０ｂに係合させる。より具体的には、ベース３５の一端部４９ａの上面を係合部５０ａに当接させた後、ベース３５の屈曲部４，５を基板３１の上面３１ｂに押し付け、ベース３５を上下方向に弾性変形させながら、ベース３５の他端部４９ｂの上面を係合部５０ｂに当接させる。例えば、図５に示されるように、ベース３５をレンズアレイホルダ３４内に下方に挿入し、ベース３５の一端部４９ａの上面を係合部５０ａと当接させ、屈曲部４を基板３１と当接させる。ついで、ベース３５の一端部４９ａと係合部５０ａとの当接を維持しながら、矢線Ｘ２の方向にベース３５を回動させると、屈曲部４の剛性により、ベース３５が、中央部２が上に凸となるように撓みはじめる。さらにベース３５の他端部４９ｂ側を下方に挿入すると、屈曲部５が基板３１に当接する。一端部４９ａが係合部５０ａに当接し屈曲部４，５が基板３１に当接した状態を維持し、屈曲部４，５を基板３１に押し付けながら、ベース３５の中央部２を上に凸となるように撓ませながら、ベース３５の他端部４９ｂを下方に移動させる。他端部４９ｂが係合部５０ｂと対応する位置に達すると、ベース３５が長手方向に伸び、これにより他端部４９ｂが係合部５０ｂに当接する。
【００４３】
以上により、ベース３５は、図５（ｄ）に示されるように、基板３１の上面３１ｂとレンズアレイホルダ３４の係合部５０ａ，５０ｂとの間に挟まれ、側部１ａ，１ｂが基板３１に近づき中央部２が上に凸となるように撓んだ状態で設置される。側部１ａ，１ｂと基板３１の上面３１ｂとのなす角の角度θ２は、設置前における中央部２に対する側部１ａ，１ｂの屈曲の角度θ１より小さくなっている（θ２＜θ１）。この側部１ａ，１ｂの撓みにより、屈曲部４，５から基板３１への付勢力（弾性復元力）Ｐａが発生する。この付勢力Ｐａにより、ベース３５がレンズアレイホルダ３４に係止され、且つ、基板３１がレンズアレイホルダ３４の基板当接面Ｓ１に対し圧接される。
【００４４】
図５に示されるように、基板当接面Ｓ１から係合部５０ｂ（５０ａ）までの距離をＨ１、基板３１の厚さをｔ、ベース３５の組み付け前の状態における、ベース３５の端部４９ｂ（４９ａ）の湾曲方向（図中上下方向）におけるベース３５の基板３１と当接する側の面３５ａから端部４９ｂ（４９ａ）の上端部４９ｂｘ（４９ａｘ）までの距離をＨ２とすると、ＬＥＤヘッド１５Ｂｋは、Ｈ２＋ｔ＞Ｈ１を満たすように形成されている。このようにすることで、図５（ｄ）の状態において、屈曲部４，５を力点として基板３１をレンズアレイホルダ３４の基板当接面Ｓ１側へと押し当てる方向の力Ｐａが常に働く。また、ベース３５の付勢力Ｐａが屈曲部４，５に集中して加わるので、基板３１がずれにくい。
【００４５】
ベース３５の組み付けの際、ベース３５の屈曲部４，５が基板３１と接触した後、ベース３５の他端部４９ｂがレンズアレイホルダ３４の係合部５０ｂと係合するまでの間、屈曲部４，５から基板３１に対し、中央部２が復元する際の長手方向の付勢力Ｐｘが作用する。しかし、基板３１は、レンズアレイホルダ３４の位置決めピン４６ａ，４６ｂにより、長手方向について係止されているため、付勢力Ｐｘによる基板３１への影響（例えば基板３１上に１列に並べられたＬＥＤの長手方向の並びに対する影響）は殆ど無い。また、ベース３５の組み付けの際、ベース３５は短手方向には弾性変形せず、基板３１に対し短手方向の力は作用しない。また、ベース３５の短手方向の幅Ｌ３はレンズアレイホルダ３４の短手方向の内壁幅Ｌ１より小さく、ベース３５の組み付けの際、レンズアレイホルダ３４の側壁５１ａ，５１ｂに対し短手方向の力は作用しない。
【００４６】
［効果］
以上説明した本実施の形態１によれば、下記（１）〜（７）の効果が得られ得る。
（１）本実施の形態では、基板を基板当接面に押し付けるためのベースは、基板の長手方向両端部に対応する位置に、基板側に凸となるように屈曲または湾曲した一対の屈曲部を有し、レンズアレイホルダと係合することにより、基板の上面と直交する方向に弾性変形し、その弾性復元力により一対の屈曲部で基板を押圧する状態で設置されるように構成される。このため、本実施の形態によれば、簡易な構成で基板を基板当接面に押し付けることができる。具体的には、ベースに突起部、スリット、およびブリッジを形成し、レンズアレイホルダの内壁に溝を形成し、ベースの突起部をレンズアレイホルダの溝に押し込んでベースをレンズアレイホルダに係止する構成と比較して、簡易な構成で基板を押し付けることができる。
【００４７】
（２）特許文献１に記載の露光装置では、ベースの突起部をレンズアレイホルダの溝に押し込む際に、基板に対して短手方向の力が作用し、これにより露光装置の品質が悪化する場合がある。例えば、基板上の発光素子アレイの長手方向中央部の反りが変化し、露光装置の品質が悪化する場合がある。これに対し、本実施の形態では、ベースの組み付けの際に基板に対する短手方向の力が発生しないように構成することができ、当該力による品質の悪化を回避または軽減することができる。
【００４８】
（３）特許文献１に記載の露光装置では、レンズアレイホルダ内にベースを挿入する際に、ベースの突起部からレンズアレイホルダの側壁に対し、レンズアレイホルダの側壁を広げる短手方向の力が作用し、これにより露光装置の品質が悪化する場合がある。例えば、レンズアレイホルダに取り付けられたロッドレンズアレイの反り傾向が変化し、露光装置の品質が悪化する場合がある。これに対し、本実施の形態では、レンズアレイホルダに対する短手方向の力が発生しないように構成することができ、当該力による品質の悪化を回避または軽減することができる。例えば、ベースの短手方向の幅をレンズアレイホルダの内壁幅より小さくすることにより、ベースからレンズアレイホルダの側壁に対して力が働かないようにすることができ、ベースの組み付けによるロッドレンズアレイの変形を抑えることができる。
【００４９】
（４）レンズアレイホルダは、ベースの基板側とは反対側を向く面と当接する押さえ部を有し、ベースは、レンズアレイホルダの押さえ部と当接し、押さえ部により基板と当接する方向に押さえられることにより、弾性変形した状態で設置される。本態様によれば、簡易な構成で、基板と当接する方向の力をベースに作用させ、ベースを弾性変形状態で支持することができる。
【００５０】
（５）レンズアレイホルダは、上記押さえ部として、ベースの長手方向両端部と当接する一対の押さえ部を有する。ベースは、基板の長手方向に延びる平板状の中央部と、中央部の長手方向両側に位置し、中央部との間で上記一対の屈曲部を形成するように設けられた平板状の一対の側部とを有する。そして、ベースは、上記一対の押さえ部に押さえられ、一対の屈曲部を支点として一対の側部が基板に近づくように弾性変形し、一対の屈曲部で基板の長手方向両端部を押圧する状態で設置される。本態様によれば、より簡易な構成で基板を基板当接面に押し付けることができる。
【００５１】
（６）レンズアレイホルダは、基板当接面と平行な方向について基板を位置決めするための位置決め部を有する。本態様によれば、ベースを設置する際にベースから基板に作用する、基板当接面と平行な方向（例えば長手方向）の力による、露光装置の品質への影響を回避または軽減することができる。
【００５２】
（７）基板上にベースを設置する際、ベースの長手方向の一端部の基板側とは反対側を向く面をレンズアレイホルダの一方側に設けられた押さえ部に当接させた後、一対の屈曲部を基板の上面に押し付け、ベースを基板の上面と直交する方向に弾性変形させながら、ベースの長手方向の他端部の基板側とは反対側を向く面をレンズアレイホルダの他方側に設けられた押さえ部に当接させる。本態様によれば、簡易な方法で基板上にベースを組み付けることができる。
【００５３】
実施の形態２．
以下、実施の形態２における露光装置（ＬＥＤヘッド）について説明する。本実施の形態におけるＬＥＤヘッドは、実施の形態１のＬＥＤヘッドに対し、ベースの構成が異なっており、その他の部分については略同様である。以下の説明では、実施の形態１と同様の部分については説明を省略または簡略化し、実施の形態１と同一または対応する要素については同一の符号を付す。
【００５４】
図６は、実施の形態２におけるＬＥＤヘッド１５Ｂｋおよび感光体ドラム１３Ｂｋを示す横断面図である。図７は、実施の形態２におけるベース３５の構成を示す図である。図７（ａ）および図７（ｂ）は、それぞれベース３５の正面図および上面図である。
【００５５】
本実施の形態では、ベース３５は、一対の屈曲部４，５に加えて、基板３１の長手方向中央部を弾性復元力により押圧する少なくとも１つの押圧部をさらに有する。具体的には、ベース３５は、基板３１の長手方向中央部に対応する位置に、基板３１側に突出する突出部を有し、弾性復元力により突出部で基板３１の長手方向中央部を押圧する状態で設置される。より具体的には、ベース３５は、中央部２および側部１ａ，１ｂの他に、中央部２から基板３１側に突出するように設けられた板ばね部３ａ，３ｂを有する。板ばね部３ａ，３ｂは、固定端部が中央部２に固定され、自由端部（先端部）６ａ，６ｂが中央部２より基板３１側に位置するように構成されている。板ばね部３ａ，３ｂは、中央部２から基板３１側に斜めに設けられた平板状の部材であり、中央部２に対し角度θ３の角をなす。すなわち、板ばね部３ａ，３ｂは、中央部２に対し基板３１側に角度θ３だけ屈曲している。図７の例では、ベース３５の中央部２には長手方向に延びる矩形状の２つの切り欠き部６０ａ，６０ｂが形成されており、当該切り欠き部６０ａ，６０ｂの長手方向外側の端部から内側に延びるように板ばね部３ａ，３ｂが形成されている。板ばね部３ａ，３ｂは、例えば、中央部２を形成するための板状の部材を切り起こして形成される。
【００５６】
ベース３５は、図６に示されるように、その長手方向両端部４９ａ，４９ｂがそれぞれレンズアレイホルダ３４の係合部５０ａ，５０ｂと係合し（具体的には当接して押さえられ）、屈曲部４，５および板ばね部３ａ，３ｂの先端部６ａ，６ｂを支点として、側部１ａ，１ｂが基板３１に近づき板ばね部３ａ，３ｂが中央部２に近づくように弾性変形し、その弾性復元力により屈曲部４，５で基板３１の長手方向両端部を押圧し、板ばね部３ａ，３ｂの先端部（押圧部）６ａ，６ｂで基板３１の長手方向中央部を押圧する状態で設置される。
【００５７】
図８は、実施の形態２におけるＬＥＤヘッド１５Ｂｋの製造手順を説明するための図である。以下、図８を参照して、ＬＥＤヘッド１５Ｂｋの製造手順、特にベース３５の組み付け手順について説明する。図８の矢線Ｘ３およびＸ４は、ベース３５の動きを表す。
【００５８】
ＬＥＤヘッド１５Ｂｋの組み立てにおいては、まず、基板３１とレンズアレイホルダ３４とを備える組立体（すなわち基板３１が取り付けられたレンズアレイホルダ３４）を用意する。
【００５９】
次に、上記組立体の基板３１の上面３１ｂ上にベース３５を設置する。具体的には、ベース３５の長手方向の一端部（被係合部）４９ａをレンズアレイホルダ３４の係合部５０ａに係合させた後、ベース３５の屈曲部４，５および板ばね部３ａ，３ｂの先端部（押圧部）６ａ，６ｂを基板３１の上面３１ｂに押し付け、ベース３５を基板３１の上面３１ｂと直交する方向（上下方向）に弾性変形させながら、ベース３５の長手方向の他端部（被係合部）４９ｂをレンズアレイホルダ３４の係合部５０ｂに係合させる。より具体的には、ベース３５の一端部４９ａの上面を係合部５０ａに当接させた後、ベース３５の屈曲部４，５および板ばね部３ａ，３ｂの先端部６ａ，６ｂを基板３１の上面３１ｂに押し付け、ベース３５を上下方向に弾性変形させながら、ベース３５の他端部４９ｂの上面を係合部５０ｂに当接させる。例えば、図８に示されるように、ベース３５をレンズアレイホルダ３４内に下方に挿入し、ベース３５の一端部４９ａの上面を係合部５０ａと当接させ、屈曲部４を基板３１と当接させる。ついで、ベース３５の一端部４９ａと係合部５０ａとの当接を維持しながら、矢線Ｘ４の方向にベース３５を回動させると、屈曲部４の剛性により、ベース３５が、中央部２が上に凸となるように撓みはじめる。さらにベース３５の他端部４９ｂ側を下方に挿入すると、先端部６ａ、先端部６ｂ、および屈曲部５がこの順番で基板３１に当接する。一端部４９ａが係合部５０ａに当接し屈曲部４，５および先端部６ａ，６ｂが基板３１に当接した状態を維持し、屈曲部４，５および先端部６ａ，６ｂを基板３１に押し付けながら、ベース３５の中央部２を上に凸となるように撓ませながら、ベース３５の他端部４９ｂを下方に移動させる。他端部４９ｂが係合部５０ｂと対応する位置に達すると、ベース３５が長手方向に伸び、これにより他端部４９ｂが係合部５０ｂに当接する。
【００６０】
以上により、ベース３５は、図８（ｄ）に示されるように、基板３１の上面３１ｂとレンズアレイホルダ３４の係合部５０ａ，５０ｂとの間に挟まれ、側部１ａ，１ｂが基板３１に近づき中央部２が上に凸となるように撓んだ状態で設置される。側部１ａ，１ｂと基板３１の上面３１ｂとのなす角の角度θ２は、設置前における中央部２に対する側部１ａ，１ｂの屈曲の角度θ１より小さくなっている（θ２＜θ１）。この側部１ａ，１ｂの撓みにより、屈曲部４，５から基板３１への付勢力（弾性復元力）Ｐａが発生する。また、ベース３５は、板ばね部３ａ，３ｂが中央部２に近づくように撓んだ状態で設置される。この状態における板ばね部３ａ，３ｂと中央部２とのなす角の角度θ４は、設置前における板ばね部３ａ，３ｂと中央部２とのなす角の角度θ３より小さくなっている（θ４＜θ３）。この板ばね部３ａ，３ｂの撓みにより、板ばね部３ａ，３ｂの先端部６ａ，６ｂから基板３１への付勢力（弾性復元力）Ｐｂが発生する。上記付勢力ＰａおよびＰｂにより、ベース３５がレンズアレイホルダ３４に係止され、且つ、基板３１の長手方向の両端部および中央部がレンズアレイホルダ３４の基板当接面Ｓ１に対し圧接される。
【００６１】
以上説明した本実施の形態２によれば、上記（１）〜（７）の効果の他に、下記（８）〜（１０）の効果が得られ得る。
（８）本実施の形態では、ベースは、基板の長手方向中央部を弾性復元力により押圧する押圧部をさらに有する。本実施の形態によれば、基板を基板当接面に良好に（または安定して）押し付けることができる。具体的には、基板の長手方向中央部を押圧することにより、特に基板の全長が大きい場合に、基板の長手方向中央部が基板当接面から浮いてしまうことを、回避または軽減することができる。
【００６２】
（９）レンズアレイホルダは、ベースの長手方向両端部と当接する一対の押さえ部を有する。ベースは、基板の長手方向に延びる平板状の中央部と、中央部の長手方向両側に位置し、中央部との間で一対の屈曲部を形成するように設けられた平板状の一対の側部と、中央部から基板側に突出するように設けられた平板状の板ばね部とを有する。そして、ベースは、一対の押さえ部に押さえられ、一対の屈曲部および板ばね部の先端部を支点として、一対の側部が基板に近づき板ばね部が中央部に近づくように弾性変形し、一対の屈曲部で基板の長手方向両端部を押圧し、板ばね部の先端部で基板の長手方向中央部を押圧する状態で設置される。本態様によれば、簡易な構成で、基板を基板当接面に良好に（または安定して）押し付けることができる。
【００６３】
（１０）基板上にベースを設置する際、ベースの長手方向の一端部の基板側とは反対側を向く面をレンズアレイホルダの一方側に設けられた押さえ部に当接させた後、一対の屈曲部および押圧部を基板の上面に押し付け、ベースを基板の上面と直交する方向に弾性変形させながら、ベースの長手方向の他端部の基板側とは反対側を向く面をレンズアレイホルダの他方側に設けられた押さえ部に当接させる。本態様によれば、簡易な方法で基板上にベースを組み付けることができる。
【００６４】
なお、本件明細書において、「端部」とは、厳密な「端」だけでなく、「端の近傍の部分」も含む。
【００６５】
また、本発明は、上記実施の形態に限定されるものではなく、本発明の要旨を逸脱しない範囲内において種々の態様で実施することができる。例えば、上記の説明では、図１に示される画像形成装置（カラープリンタ）を例示したが、露光装置は、他のタイプのプリンタ、複写機、ファクシミリ装置、複合機等、他の画像形成装置に適用されてもよい。また、露光装置の構成は、上記実施の形態に示されるものに限定されず、適宜変更されてもよい。
【符号の説明】
【００６６】
１ａ，１ｂ  側部、  ２  中央部、  ３ａ，３ｂ  板ばね部、  ４，５  屈曲部、  ６ａ，６ｂ  先端部（押圧部）、  １１  画像形成装置、  １５Ｂｋ，１５Ｙ，１５Ｍ，１５Ｃ  ＬＥＤヘッド（露光装置）、  ３１  基板、  ３１ａ  下面（第１の面）、  ３１ｂ  上面（第２の面）、  ３２  ＬＥＤアレイチップ、  ３３  ロッドレンズアレイ、  ３４  レンズアレイホルダ、  ３５  ベース、  ４６ａ，４６ｂ  位置決めピン、  ４７，４８  位置決め孔、  ５０ａ，５０ｂ  係合部。
【図１】
2013022837.tif 000003
【図２】
2013022837.tif 000004
【図３】
2013022837.tif 000005
【図４】
2013022837.tif 000006
【図５】
2013022837.tif 000007
【図６】
2013022837.tif 000008
【図７】
2013022837.tif 000009
【図８】
2013022837.tif 000010